(57)【特許請求の範囲】
【請求項１】
ＩＣチップが埋め込まれた金券の入出金処理を行う金券処理装置であって、
未発行の金券を装填する金券装填モード、発行済みの金券を収納する金券収納モード、未発行の金券を発行する金券発行モードおよび発行済みの金券を回収する金券回収モードの中からいずれか一つのモードが選択設定されるモード設定手段と、
前記モード設定手段によって設定されたモードに対応する所定の情報を、入金口に入金された金券のＩＣチップに書き込み可能な入金書込手段と、
前記モード設定手段によって前記金券装填モードが選択設定された場合に、前記入金口に入金された金券を収納する一方、前記モード設定手段によって前記金券発行モードが選択設定された場合に、収納していた金券を出金口に出金する未発行券収納部と、
前記モード設定手段によって前記金券収納モードが選択設定された場合に、前記入金口に入金された金券を収納する一方、前記モード設定手段によって前記金券回収モードが選択設定された場合に、収納していた金券を出金口に出金する発行済券収納部と、
前記モード設定手段によって設定されたモードに対応する所定の情報を、前記出金口に出金される金券のＩＣチップに書き込み可能な出金書込手段と、
前記入金口に入金された金券のＩＣチップから情報を読み取る入金読取手段と、
前記モード設定手段によって前記金券装填モードが選択設定された場合に、前記入金読取手段によって読み取られた情報が未発行且つ未入金を示す金券および未発行且つ入金済みを示す金券を前記未発行券収納部へ収納する一方、当該読み取られた情報が発行済み且つ使用未確定を示す金券および発行済み且つ使用済みを示す金券を入金リジェクト部に搬送するとともに、前記モード設定手段によって前記金券収納モードが選択設定された場合に、前記入金読取手段によって読み取られた情報が発行済み且つ使用未確定を示す金券および発行済み且つ使用済みを示す金券を前記発行済券収納部へ収納する一方、当該読み取られた情報が未発行且つ未入金を示す金券および未発行且つ入金済みを示す金券を前記入金リジェクト部に搬送する入金判別手段と、
前記出金口に出金される金券のＩＣチップから情報を読み取る出金読取手段と、
前記モード設定手段によって前記金券発行モードが選択設定された場合に、前記出金読取手段によって読み取られた情報が未発行且つ入金済みを示す金券を前記出金口へ出金する一方、当該読み取られた情報が発行済み且つ使用未確定を示す金券、発行済み且つ使用済みを示す金券および未発行且つ未入金を示す金券を出金リジェクト部に搬送するとともに、前記モード設定手段によって前記金券回収モードが選択設定された場合に、前記出金読取手段によって読み取られた情報が発行済み且つ使用済みを示す金券を前記出金口へ出金する一方、当該読み取られた情報が未発行且つ入金済みを示す金券、発行済み且つ使用未確定を示す金券および未発行且つ未入金を示す金券を前記出金リジェクト部に搬送する出金判別手段と、
を有し、
前記入金書込手段は、前記モード設定手段によって前記金券装填モードが選択設定された場合に、前記入金読取手段によって読み取られた情報が未発行且つ未入金を示す金券のＩＣチップに未発行且つ入金済みを示す情報を書き込むとともに、前記モード設定手段によって前記金券収納モードが選択設定された場合に、前記入金読取手段によって読み取られた情報が発行済み且つ使用未確定を示す金券のＩＣチップに発行済み且つ使用済みを示す情報を書き込み、
前記出金書込手段は、前記モード設定手段によって前記金券発行モードが選択設定された場合に、前記出金読取手段によって読み取られた情報が未発行且つ入金済みを示す金券のＩＣチップに発行済み且つ使用未確定を示す情報を書き込むことを特徴とする金券処理装置。
【請求項２】
ユーザを認証する認証手段を備え、
前記モード設定手段は、前記認証手段の認証結果に基づいて選択設定可能なモードを制御することを特徴とする請求項１に記載の金券処理装置。
【発明の詳細な説明】
【技術分野】
【０００１】
本発明は、金券処理装置に関し、特にその多機能化に関する。
【背景技術】
【０００２】
デパート等での商品購入の際に貨幣に代えて用いることができる商品券等の金券が従来から使用されている。このような金券を発行する金券発行装置について、装置内部の収納部に金券をセットし、この金券を発行する際に識別番号を読み取って、この識別番号が発行すべきものであるか否かを判定して、発行すべきと判定された金券を発行する技術がある（例えば、特許文献１参照）。
【特許文献１】特許第３６４４２１４号公報
【発明の開示】
【発明が解決しようとする課題】
【０００３】
上述した金券発行装置は、金券の発行処理のみを行うものであり、発行処理以外の処理を行うことができなかった。
【０００４】
したがって、本発明は、金券の発行処理は勿論、発行処理以外の処理も可能な多機能型の金券処理装置の提供を目的とする。
【課題を解決するための手段】
【０００５】
上記目的を達成するために、請求項１に係る発明は、ＩＣチップが埋め込まれた金券の入出金処理を行う金券処理装置であって、未発行の金券を装填する金券装填モード、発行済みの金券を収納する金券収納モード、未発行の金券を発行する金券発行モードおよび発行済みの金券を回収する金券回収モードの中からいずれか一つのモードが選択設定されるモード設定手段と、前記モード設定手段によって設定されたモードに対応する所定の情報を、入金口に入金された金券のＩＣチップに書き込み可能な入金書込手段と、前記モード設定手段によって前記金券装填モードが選択設定された場合に、前記入金口に入金された金券を収納する一方、前記モード設定手段によって前記金券発行モードが選択設定された場合に、収納していた金券を出金口に出金する未発行券収納部と、前記モード設定手段によって前記金券収納モードが選択設定された場合に、前記入金口に入金された金券を収納する一方、前記モード設定手段によって前記金券回収モードが選択設定された場合に、収納していた金券を出金口に出金する発行済券収納部と、前記モード設定手段によって設定されたモードに対応する所定の情報を、前記出金口に出金される金券のＩＣチップに書き込み可能な出金書込手段と、前記入金口に入金された金券のＩＣチップから情報を読み取る入金読取手段と、前記モード設定手段によって前記金券装填モードが選択設定された場合に、前記入金読取手段によって読み取られた情報が未発行且つ未入金を示す金券および未発行且つ入金済みを示す金券を前記未発行券収納部へ収納する一方、当該読み取られた情報が発行済み且つ使用未確定を示す金券および発行済み且つ使用済みを示す金券を入金リジェクト部に搬送するとともに、前記モード設定手段によって前記金券収納モードが選択設定された場合に、前記入金読取手段によって読み取られた情報が発行済み且つ使用未確定を示す金券および発行済み且つ使用済みを示す金券を前記発行済券収納部へ収納する一方、当該読み取られた情報が未発行且つ未入金を示す金券および未発行且つ入金済みを示す金券を前記入金リジェクト部に搬送する入金判別手段と、前記出金口に出金される金券のＩＣチップから情報を読み取る出金読取手段と、前記モード設定手段によって前記金券発行モードが選択設定された場合に、前記出金読取手段によって読み取られた情報が未発行且つ入金済みを示す金券を前記出金口へ出金する一方、当該読み取られた情報が発行済み且つ使用未確定を示す金券、発行済み且つ使用済みを示す金券および未発行且つ未入金を示す金券を出金リジェクト部に搬送するとともに、前記モード設定手段によって前記金券回収モードが選択設定された場合に、前記出金読取手段によって読み取られた情報が発行済み且つ使用済みを示す金券を前記出金口へ出金する一方、当該読み取られた情報が未発行且つ入金済みを示す金券、発行済み且つ使用未確定を示す金券および未発行且つ未入金を示す金券を前記出金リジェクト部に搬送する出金判別手段と、を有し、前記入金書込手段は、前記モード設定手段によって前記金券装填モードが選択設定された場合に、前記入金読取手段によって読み取られた情報が未発行且つ未入金を示す金券のＩＣチップに未発行且つ入金済みを示す情報を書き込むとともに、前記モード設定手段によって前記金券収納モードが選択設定された場合に、前記入金読取手段によって読み取られた情報が発行済み且つ使用未確定を示す金券のＩＣチップに発行済み且つ使用済みを示す情報を書き込み、前記出金書込手段は、前記モード設定手段によって前記金券発行モードが選択設定された場合に、前記出金読取手段によって読み取られた情報が未発行且つ入金済みを示す金券のＩＣチップに発行済み且つ使用未確定を示す情報を書き込むことを特徴としている。
【００１２】
請求項２に係る発明は、請求項１に係る発明において、ユーザを認証する認証手段を備え、前記モード設定手段は、前記認証手段の認証結果に基づいて選択設定可能なモードを制御することを特徴としている。
【発明の効果】
【００１３】
請求項１に係る発明によれば、未発行の金券を装填する金券装填モードがモード設定手段によって選択設定された場合に、入金口に入金された金券を未発行券収納部に収納することになる。また、未発行の金券を発行する金券発行モードがモード設定手段によって選択設定された場合に、未発行券収納部から、収納していた金券を出金口に出金することになる。また、発行済みの金券を収納する金券収納モードがモード設定手段によって選択設定された場合に、入金口に入金された金券を発行済券収納部に収納することになる。また、発行済みの金券を出金する金券回収モードがモード設定手段によって選択設定された場合に、発行済券収納部から、収納していた金券を出金口に出金することになる。このように、未発行の金券についての装填および発行に加えて、発行済みの金券についての収納および機外回収のための出金口への出金を行うことができるため、多機能化を図ることができる。しかも、入金書込手段および出金書込手段によって、必要により、金券のＩＣチップにモードに対応した所定の情報を書き込むため、ＩＣチップの情報から、その後の処理が適正であるか否か等を判別することが可能となる。
【００１４】
また、入金口に入金された金券のＩＣチップから、入金読取手段が情報を読み取ることになり、入金判別手段が、入金読取手段によって読み取られた情報とモード設定手段によって設定されたモードとに基づいて、入金口に入金された金券が適正であるか否かを判別することになる。これにより、モードに対して金券が適正である場合に受け入れ、適正でない場合には受け入れない等の対処が可能となり、適正である金券のみを受け入れることができる。
【００１５】
また、入金書込手段が、入金判別手段によって適正であると判別された金券に対して、設定されたモードに対応する所定の情報をＩＣチップに書き込むため、適正であると判別された金券に対してのみ、設定されたモードに対応する所定の情報をＩＣチップに書き込むことができ、適正でないと判別された金券に対して情報を書き込んでしまってからこれを消去する等の面倒な処理が不要となる。
【００１６】
また、入金判別手段によって適正でないと判別された金券を入金リジェクト部に搬送するため、適正でない金券が混入していた場合も、入金処理を停止することなく継続することができる。
【００１７】
また、出金口に出金される金券のＩＣチップから、出金読取手段が情報を読み取ることになり、出金判別手段が、出金読取手段によって読み取られた情報とモード設定手段によって設定されたモードとに基づいて、出金口に出金される予定の金券が適正であるか否かを判別することになる。これにより、モードに対して金券が適正である場合に出金口に出金し、適正でない場合には出金口に出金をしない等の対処が可能となり、適正である金券のみを出金口に出金できる。
【００１８】
また、出金書込手段が、出金判別手段によって適正であると判別された金券に対して、設定されたモードに対応する所定の情報をＩＣチップに書き込むため、適正であると判別された金券に対してのみ、設定されたモードに対応する所定の情報をＩＣチップに書き込むことができ、適正でないと判別された金券に対して情報を書き込んでしまってからこれを消去する等の面倒な処理が不要となる。
【００１９】
また、出金判別手段によって適正でないと判別された金券を出金リジェクト部に搬送するため、適正でない金券が混入していた場合も、出金処理を停止することなく継続することができる。
【００２０】
請求項２に係る発明によれば、モード設定手段が、ユーザを認証する認証手段の認証結果に基づいて選択設定可能なモードを制御するため、ユーザの職位等に応じて使用できるモードを異ならせることができる。
【発明を実施するための最良の形態】
【００２１】
本発明の一実施形態の金券処理装置を図１および図２を参照して以下に説明する。
本実施形態の金券処理装置１１は、ＩＣチップを含むＲＦＩＤタグが埋め込まれた金券の入出金処理を行うものである。ＩＣチップには、発行元を他と識別するための発行元識別番号、金種、金券を他と識別するための金券識別番号および使用状況情報等を含む金券情報が記憶されている。
【００２２】
金券処理装置１１は、ユーザを認証する認証装置１２（認証手段）と、ユーザによってモード設定入力等が行われる操作部（モード設定手段）１３と、ユーザに操作ガイダンス等を表示する表示部１４とを上面に有しており、また、内部には、金券処理装置１１の全体を制御する制御部（モード設定手段，入金判別手段，出金判別手段）１５と、各種データを記憶する記憶部（記憶手段）１６と、制御部１５の指令に基づいてネットワークを介して金券発行元の管理サーバ（外部機器）１７と通信する通信部（通信手段）１８とが設けられている。管理サーバ１７は複数の金券処理装置１１に接続されており、これら金券処理装置１１の情報を一括管理する。
【００２３】
金券処理装置１１は、金券が集積状態で投入される入金口２１を上部に備えており、入金口２１には、集積状態で投入された金券を一枚ずつ分離して入金搬送路２２に送り出す入金繰出機構２３が設けられている。入金口２１に投入され入金繰出機構２３を介して装置内に送り込まれた金券は、入金搬送路２２を介して入金識別部２４に搬送される。
【００２４】
入金識別部２４は、入金搬送路２２で搬送される金券の識別を行うものである。この入金識別部２４は、例えばＣＣＤカメラ等の画像検出装置２５を一対備えており、通過する金券の画像データを表裏両側から撮像する。また、入金識別部２４は、ＲＦＩＤリーダライタ（入金読取手段，入金書込手段）５５を備えており、通過する金券のＲＦＩＤタグと通信してそのＩＣチップに対して情報の読み取りおよび書き込みを行う。
【００２５】
そして、入金識別部２４は、画像検出装置２５によって、搬送中の金券の画像データを撮像するとともに、ＲＦＩＤリーダライタ５５によって、搬送中の金券のＩＣチップから金券情報を取り込む。すると、制御部１５は、画像検出装置２５で撮像された画像データと、予め設定された受入可能な金券の金種毎のマスタデータとを比較して、斜行の有無、汚損の有無および金種を判定することになり、これと、ＲＦＩＤリーダライタ５５によってＩＣチップから取り込んだ金券情報とから受入可・不可を判定することになる。
【００２６】
つまり、受入可・不可は、斜行ありの場合と、汚損ありの場合と、画像検出装置２５で撮像された画像データと一致するマスタデータがない場合と、ＲＦＩＤリーダライタ５５によってＩＣチップから金券情報が読みとれない場合と、ＩＣチップから読み取った発行元識別番号が取り扱うべき発行元識別番号のマスタデータにない場合と、ＩＣチップから読み取った金種と画像検出装置２５で撮像された画像データに基づく金種とが一致しない場合と、ＲＦＩＤリーダライタ５５によって同時に複数のＩＣチップから金券情報が読みとれた場合（重送有りの場合）と、ＩＣチップから読み取った使用状況情報が適正でない場合と、のうちの少なくともいずれか一つの条件に合う場合は受入不可とする。これらのいずれの条件にも合致しない場合に受入可と判定する。
【００２７】
金券処理装置１１は、入金リジェクト金券を機外に取り出し可能に排出するリジェクト口（入金リジェクト部）２８を上部に備えており、制御部１５は、入金識別部２４の識別結果から受入不可と判定した入金リジェクト金券を、入金搬送路２２および入金搬送路２２から分岐する入金リジェクト搬送路２９を介して入金リジェクト口２８に排出する。なお、入金リジェクト金券を、着脱可能な入金リジェクトボックスに収納しても良い。
【００２８】
金券処理装置１１は、入金搬送路２２における入金リジェクト搬送路２９よりも下流側から分岐する複数、具体的には３箇所の分岐搬送路３１ａ〜３１ｃを有しており、これら分岐搬送路３１ａ〜３１ｃの各端末位置および入金搬送路２２の端末位置には、金券を一時貯留する、底部が開閉可能な一時貯留部３２ａ〜３２ｃ，３３がそれぞれ設けられている。これら一時貯留部３２ａ〜３２ｃ，３３は、入金識別部２４で受入可と識別された金券を受け入れる。ここで、これら一時貯留部３２ａ〜３２ｃ，３３は、未発行（市場に未発行）の金券を金種別に受け入れて一時貯留するものと、発行済み（市場に発行済み）の金券を金種混在で受け入れて一時貯留するものとに分類されている。具体的には、最も上流側の分岐搬送路３１ａの端末位置に設けられた一時貯留部３２ａは、未発行の額面１０００円の金券を受け入れ、一つ下流側の分岐搬送路３１ｂの端末位置に設けられた一時貯留部３２ｂは、未発行の額面５０００円の金券を受け入れ、さらに一つ下流側の分岐搬送路３１ｃの端末位置に設けられた一時貯留部３２ｃは、未発行の額面１００００円の金券を受け入れ、入金搬送路２２の端末位置に設けられた一時貯留部３３は、発行済みの金券を金種混在で受け入れる。これら一時貯留部３２ａ〜３２ｃ，３３は、機体から引き出し可能な引出ユニット３５に一体に設けられており、一時貯留部３２ａ〜３２ｃ，３３に貯留された金券は、引出ユニット３５が機体から引き出されることで返却可能となっている。
【００２９】
各一時貯留部３２ａ〜３２ｃ，３３の下方には、一時貯留部３２ａ〜３２ｃ，３３から受け渡された金券を収納するとともに、収納している金券を最下のものから出金可能な出金収納部３６ａ〜３６ｃ，３７が一対一で設けられている。つまり、出金収納部３６ａ〜３６ｃ，３７も、未発行の金券を金種別に受け入れて出金可能に収納するものと、発行済みの金券を金種混在で受け入れて出金可能に収納するものとに分類されている。具体的には、一時貯留部３２ａの下方の出金収納部（未発行券収納部）３６ａは未発行の額面１０００円の金券を、一時貯留部３２ｂの下方の出金収納部（未発行券収納部）３６ｂは未発行の額面５０００円の金券を、一時貯留部３２ｃの下方の出金収納部（未発行券収納部）３６ｃは未発行の額面１００００円の金券を、一時貯留部３３の下方の出金収納部（発行済券収納部）３７は発行済みの金券を金種混在で、それぞれ収納する。なお、未発行の金券の額面の種類が上記より多い場合、および発行済みの金券を金種別あるいは発行元別に一時貯留したりする場合には、一時貯留部３２ａ〜３２ｃ，３３および出金収納部３６ａ〜３６ｃ，３７の数を適宜増やすことで対応可能である。また、複数の一時貯留部３２ａ〜３２ｃ，３３および出金収納部３６ａ〜３６ｃ，３７への振り分けを、操作部１３を介してのユーザ設定で可変としても良い。
【００３０】
各出金収納部３６ａ〜３６ｃ，３７の下部には、金券を一枚ずつ分離して計数しつつ繰り出す出金繰出機構４０が設けられている。そして、出金収納部３７の出金繰出機構４０は出金搬送路４１に、出金収納部３６ｃの出金繰出機構４０は出金搬送路４１に合流する繰出搬送路４２ｃに、出金収納部３６ｂの出金繰出機構４０は出金搬送路４１に合流する繰出搬送路４２ｂに、出金収納部３６ａの出金繰出機構４０は出金搬送路４１に合流する繰出搬送路４２ａに、それぞれ金券を繰り出す。
【００３１】
出金搬送路４１には、すべての繰出搬送路４２ａ〜４２ｃの合流位置よりも下流側に、出金搬送路４１により搬送中の金券、つまり出金収納部３６ａ〜３６ｃ，３７が出金した金券の識別を行う出金識別部４４が設けられている。この出金識別部４４は、例えばＣＣＤカメラ等の画像検出装置４５を一対備えており、搬送中の金券の表裏両側の画像データを撮像する。また、出金識別部４４は、ＲＦＩＤリーダライタ（出金読取手段，出金書込手段）５６を備えており、通過する金券のＲＦＩＤタグと通信してそのＩＣチップに対して情報の読み取りおよび書き込みを行う。
【００３２】
そして、出金識別部４４は、画像検出装置４５によって、搬送中の金券の画像データを撮像するとともに、ＲＦＩＤリーダライタ５６によって、搬送中の金券のＩＣチップから金券情報を取り込む。すると、制御部１５は、画像検出装置４５で撮像された画像データと、予め設定された受入可能な金券の金種毎のマスタデータとを比較して、斜行の有無、汚損の有無および金種を判定することになり、これと、ＲＦＩＤリーダライタ５６によってＩＣチップから取り込んだ金券情報とから出金可・不可を判定することになる。
【００３３】
つまり、出金可・不可は、斜行ありの場合と、汚損ありの場合と、画像検出装置４５で撮像された画像データと一致するマスタデータがない場合と、ＲＦＩＤリーダライタ５６によってＩＣチップから金券情報が読みとれない場合と、ＩＣチップから読み取った発行元識別番号が取り扱うべき発行元識別番号のマスタデータにない場合と、ＩＣチップから読み取った金種と画像検出装置４５で撮像された画像データに基づく金種とが一致しない場合と、ＲＦＩＤリーダライタ５６によって同時に複数のＩＣチップから金券情報が読みとれた場合（重送有りの場合）と、ＩＣチップから読み取った使用状況情報が適正でない場合と、のうちの少なくともいずれか一つの条件に合う場合は出金不可とする。これらのいずれの条件にも合致しない場合に出金可と判定する。
【００３４】
金券処理装置１１は、出金搬送路４１から分岐する出金リジェクト搬送路４７と、出金リジェクト搬送路４７に送られた出金リジェクト金券を収納する出金リジェクト庫４８（出金リジェクト部）を備えている。この出金リジェクト庫４８は、機体に対し着脱可能となっている。制御部１５は、出金識別部４４の識別結果から出金不可と判定した金券を、出金搬送路４１および出金リジェクト搬送路４７を介して出金リジェクト庫４８に収納する。
【００３５】
金券処理装置１１は、出金金券を機外に取り出し可能に排出する出金口５０を上部に備えており、制御部１５は、出金識別部４４の識別結果から出金可と判定した金券を、出金搬送路４１を介して出金口５０に排出する。
【００３６】
認証装置１２は、具体的には、ユーザ毎に発行されるＩＤカードに記憶されたユーザ識別番号を読み取るカードリーダである。ここで、ユーザ識別番号は、上位の「マスタユーザ」と、下位の「制限ユーザ」と、それ以外の「非ユーザ」との三段階のユーザレベルに分類されることになり、記憶部１６には、予めユーザ識別番号毎にユーザレベルが関連付けされて記憶されている。
【００３７】
制御部１５は、金券処理装置１１の使用開始にあたって表示部１４に認証装置１２への認証操作を促す表示を行わせる。この表示を見てユーザが認証装置１２にＩＤカードを走査させると、認証装置１２によってユーザ識別番号を読み取らせることになり、このユーザ識別番号を記憶部１６に記憶されたデータと比較する。そして、このユーザ識別番号が記憶部１６に記憶されていなければ非ユーザであると判定する一方、このユーザ識別番号が記憶部１６に記憶されていれば、このユーザ識別番号に関連付けされているユーザレベルがマスタユーザである場合にはマスタユーザであると判定し、このユーザ識別番号に関連付けされているユーザレベルが制限ユーザである場合、制限ユーザであると判定する。そして、制御部１５は、認証装置１２の認証結果に基づいて、以後の制御を変更する。なお、認証装置１２としては、ユーザの静脈の形を検出する静脈認証装置等の生体認証装置を用いることも可能である。
【００３８】
操作部１３には、未発行の金券を装填する金券装填モードおよび発行済みの金券を収納する金券収納モードの二種類の入金モードと、未発行の金券を発行する金券発行モードおよび発行済みの金券を回収する金券回収モードの二種類の出金モードの合計四種類のモードの中からいずれか一つのモードを選択設定する操作がユーザによって入力可能となっている。
【００３９】
制御部１５は、上記した認証装置１２による認証結果に基づいて選択可能なモードを切り替える。つまり、制御部１５は、認証装置１２による認証結果からユーザ識別番号がマスタユーザであると判定した場合、金券装填モード、金券収納モード、金券発行モードおよび金券回収モードのいずれも選択設定可能として、これら四種類のモードから選択を行うように表示部１４に表示を行わせる。また、制御部１５は、認証装置１２による認証結果からユーザ識別番号が制限ユーザであると判定した場合、金券収納モードおよび金券回収モードの二種類のモードのみ選択可能として、これら二種類のモードから選択を行うように表示部１４に表示を行わせる。さらに、制御部１５は、ユーザ識別番号が非ユーザであると判定した場合、いずれのモードも選択不可とし、正しい認証操作を促す表示を表示部１４に表示させる。つまり、操作部１３および制御部１５は、認証装置１２の認証結果に基づいて選択設定可能なモードを制御する。以下、選択設定された各モード別に説明する。
【００４０】
「金券装填モード」
金券装填モードが選択設定された場合、制御部１５は、未発行の金券の入金口２１への投入を促す表示を表示部１４に表示させる。これを見てユーザが入金口２１に未発行の金券を投入すると、入金口２１に設けられた図示略の検知センサが金券を検知することになり、この検知を確認すると、制御部１５は、スタート操作を促す表示を表示部１４に表示させる。これを見てユーザが操作部１３にスタート操作を行う。操作部１３にスタート操作が入力されると、制御部１５は、入金繰出機構２３および入金搬送路２２を駆動する。すると、入金口２１に投入された金券を入金繰出機構２３が一枚ずつ繰り出し、入金搬送路２２が搬送する。入金搬送路２２による搬送中に金券を入金識別部２４で識別する。この入金識別部２４の識別結果から、制御部１５は、受入不可と判定した入金リジェクト金券を、入金搬送路２２および入金搬送路２２から分岐する入金リジェクト搬送路２９を介して入金リジェクト口２８に排出する。
【００４１】
ここで、未発行の金券のうち、発行元から取り扱い店に渡されたものの金券処理装置１１に一度も入金されていない金券は、ＩＣチップの使用状況情報を記憶する使用状況情報記憶エリアには何ら記憶されていない。また、一度適正に入金された時点で、ＩＣチップの使用状況情報記憶エリアには、入金識別部２４のＲＦＩＤリーダライタ５５によって未発行且つ入金済みを示す「０」が記憶される。他に、使用状況情報記憶エリアには、発行済み且つ使用未確定を示す「１」および発行済み且つ使用済みを示す「２」が記憶される（後述）。
【００４２】
そして、この金券装填モードでは、入金口２１に投入された金券のうち、受入不可と判定する入金リジェクト金券に、ＲＦＩＤリーダライタ５５によって読み取られるＩＣチップの使用状況情報記憶エリアに、未発行且つ未入金を示す「記憶なし」および未発行且つ入金済みを示す「０」、以外の、発行済み且つ使用未確定を示す「１」の情報が記憶されている金券と、発行済み且つ使用済みを示す「２」の情報が記憶されている金券とをも含み、これらを使用状況情報が適正でない入金リジェクト金券として入金リジェクト口２８に排出する。
【００４３】
他方、制御部１５は、入金識別部２４で受入可と識別された金券について、ＩＣチップの使用状況情報記憶エリアに何も情報が記憶されていない場合には、ＲＦＩＤリーダライタ５５によって使用状況情報記憶エリアに、金券装填モードに対応する所定の使用状況情報である、未発行且つ入金済みを示す「０」を記憶して、対応する金種の計数値を加算するとともに、金種および金券識別番号を記憶部１６に記憶する（例えば図２参照）。そして、金券を一時貯留部３２ａ〜３２ｃの対応する金種のものに送り込み一時貯留させる。つまり、未発行の額面１０００円の金券を一時貯留部３２ａに、未発行の額面５０００円の金券を一時貯留部３２ｂに、未発行の額面１００００円の金券を一時貯留部３２ｃに送り込む。
【００４４】
また、制御部１５は、入金識別部２４で受入可と識別された金券について、ＩＣチップの使用状況情報記憶エリアに、未発行且つ入金済みを示す「０」が記憶されている場合には、使用状況情報記憶エリアをそのまま「０」として、対応する金種の計数値を加算するとともに、上記と同様に、金種および金券識別番号を記憶部１６に記憶して、金券を一時貯留部３２ａ〜３２ｃの対応する金種のものに送り込み一時貯留させる。つまり、基本的にはＩＣチップの使用状況情報記憶エリアに「０」が記憶されている金券のみが一時貯留部３２ａ〜３２ｃに一時貯留される。
【００４５】
そして、入金口２１に投入されたすべての金券が一時貯留部３２ａ〜３２ｃあるいは入金リジェクト口２８に送られると、制御部１５は、今回の処理に対する入金識別部２４の識別結果（金券の金種別の計数値）を表示部１４に表示させるとともに、承認操作またはキャンセル操作の入力を促す表示を表示部１４に表示させる。操作部１３にキャンセル操作が入力されると、制御部１５は、引出ユニット３５のロックを解除するとともに、今回の金券装填モードで記憶部１６に記憶したデータを消去する。ユーザは引出ユニット３５を引き出して一時貯留部３２ａ〜３２ｃから金券を取り出す。なお、このように入金キャンセルで入金が取り出された金券は、ＲＦＩＤリーダライタ５５によってＩＣチップの使用状況情報記憶エリアに「０」が記憶されていることから、金券装填モードで再入金された場合に、受入可と判断される。
【００４６】
他方、操作部１３に承認操作が入力されると、制御部１５は、すでに記憶部１６に記憶されている、今回の処理で受入可と判定したすべての金券の金種および金券識別番号と、今回の処理を他の処理と識別する処理識別番号と、今回の処理で識別したユーザ識別番号と、今回の処理で受入可と判定したすべての金券の金種別の計数値とを関連付けして入金情報として記憶部１６に記憶する。それとともに、すべての一時貯留部３２ａ〜３２ｃの金券を、それぞれ一対一で対応する出金収納部３６ａ〜３６ｃに収納する。つまり、未発行の額面１０００円の金券を出金収納部３６ａに、未発行の額面５０００円の金券を出金収納部３６ｂに、未発行の額面１００００円の金券を出金収納部３６ｃに収納する。これにより、基本的にはＩＣチップの使用状況情報記憶エリアに「０」が記憶されている金券のみが出金収納部３６ａ〜３６ｃに収納される。
【００４７】
制御部１５は、記憶部１６に記憶した入金情報を通信部１８を用いて発行元の管理サーバ１７に、金券処理装置１１の個別の装置識別番号と関連付けして送信することになり、この管理サーバ１７において、送信された入金情報を一括して管理する。例えば、管理サーバ１７では、金券識別番号が適正であるか否かの照合を行う。つまり、管理サーバ１７には発行元から発行された全ての金券識別番号がマスタデータとして記憶されているため、管理サーバ１７は、金券処理装置１１から送られた金券識別番号について、マスタデータの金券識別番号の中に一致するものがあるか否かを照合する。マスタデータの金券識別番号の中に一致するものがある場合、管理サーバ１７は、金券処理装置１１から送られた金券識別番号が適正であるとしてこの金券識別番号を金券処理装置１１の装置識別番号と関連付けして記憶する。金券処理装置１１から送られた金券識別番号に対して、マスタデータの金券識別番号の中に一致するものがない場合、管理サーバ１７は、金券処理装置１１から送られた金券識別番号が適正でないとしてアラームを発生させる。
【００４８】
以上により、操作部１３によって金券装填モードが選択設定された場合に、入金口２１に入金された金券を入金識別部２４の識別結果に基づいて出金収納部３６ａ〜３６ｃに金種別に収納する。また、操作部１３によって金券装填モードが選択設定された場合に、入金口２１に入金された金券のＩＣチップの使用状況情報記憶エリアからＲＦＩＤリーダライタ５５が使用状況情報を読み取ることになる。また、制御部１５が、この読み取られた使用状況情報と、操作部１３によって設定された金券装填モードとに基づいて、入金口２１に入金された金券が適正であるか否かを判別する。つまり、金券装填モードに対しては、使用状況情報エリアが空欄である場合および「０」である場合は適正であり、それ以外は適正でないと判定する。また、操作部１３によって金券装填モードが選択設定された場合に、入金口２１に入金された金券のＩＣチップの使用状況情報記憶エリアに何も記憶されていなければ、ＲＦＩＤリーダライタ５５が、当該設定された金券装填モードに対応する所定の使用状況情報である「０」を、入金口２１に入金された金券のＩＣチップの使用状況情報記憶エリアに書き込む。
【００４９】
なお、以上の金券装填モードにおいて、入金口２１に投入された金券のうちＩＣチップの使用状況情報記憶エリアに記憶された情報がない場合に「０」を記憶するようにしたが、例えば発行元でＩＣチップの使用状況情報記憶エリアに「０」を予め記憶しておいても良い。この場合、金券装填モードにおいては、ＲＦＩＤリーダライタ５５によってＩＣチップの使用状況情報記憶エリアに情報を書き込む必要がなくなる。
【００５０】
「金券発行モード」
金券発行モードが選択設定された場合、制御部１５は、額面毎の発行枚数の入力を促す表示を表示部１４に表示させる。これを見てユーザが操作部１３に額面毎の発行枚数を入力する。すると、制御部１５は、スタート操作を促す表示を表示部１４に表示させる。これを見てユーザが操作部１３にスタート操作を行う。操作部１３にスタート操作が入力されると、制御部１５は、出金収納部３６ａ〜３６ｃのうちの対応するものの出金繰出機構４０と、繰出搬送路４２ａ〜４２ｃのうちの対応するものと、出金搬送路４１とを駆動する。すると、出金収納部３６ａ〜３６ｃのうちの駆動された出金繰出機構４０が金券を一枚ずつ繰り出し、出金搬送路４１が搬送する。出金搬送路４１による搬送中に金券を出金識別部４４で識別する。この出金識別部４４の識別結果から、制御部１５は、出金不可と判定した出金リジェクト金券を、出金搬送路４１および出金搬送路４１から分岐する出金リジェクト搬送路４７を介して出金リジェクト庫４８に収納する。
【００５１】
そして、この金券発行モードでは、出金不可と判定する出金リジェクト金券に、ＲＦＩＤリーダライタ５６によって読み取られる使用状況情報記憶エリアに、未発行且つ入金済みを示す「０」以外の情報が記憶されている金券をも含む。つまり、金券発行モードでは、出金される金券のうちＩＣチップの使用状況情報記憶エリアに、金券発行モードで記憶される未発行且つ入金済みを示す「０」以外の、発行済み且つ使用未確定を示す「１」の情報が記憶されている場合と、発行済み且つ使用済みを示す「２」の情報が記憶されている場合と、未発行且つ未入金を示す「記憶なし」の場合とについては、この金券を使用状況情報が適正でない出金リジェクト金券として出金リジェクト庫４８に収納する。
【００５２】
また、制御部１５は、出金識別部４４で出金可と識別された金券について、ＩＣチップの使用状況情報記憶エリアに、「０」にかえて、金券発行モードに対応する所定の使用状況情報である、発行済み且つ使用未確定を示す「１」を記憶し、対応する金種の計数値を加算し、金種および金券識別番号を記憶部１６に記憶するとともに、金券を出金口５０に送り出す。
【００５３】
以上により、操作部１３によって金券発行モードが選択設定された場合に、出金口５０に出金される金券のＩＣチップの使用状況情報記憶エリアからＲＦＩＤリーダライタ５６が使用状況情報を読み取ることになる。また、制御部１５が、この読み取られた使用状況情報と、操作部１３によって設定された金券発行モードとに基づいて、出金口５０に出金される金券が適正であるか否かを判別する。つまり、金券発行モードに対しては、使用状況情報エリアが「０」である場合は適正であり、それ以外は適正でないと判定する。また、操作部１３によって金券発行モードが選択設定された場合に、ＲＦＩＤリーダライタ５６が、当該設定された金券発行モードに対応する所定の使用状況情報であって、発行済み且つ使用未確定の金券であることを示す「１」を、出金口５０に出金される金券のＩＣチップに書き込む。
【００５４】
制御部１５は、上記を繰り返して金券を出金収納部３６ａ〜３６ｃのうちの最初の一つから発行枚数分だけ出金口５０に出金させると、必要により、出金収納部３６ａ〜３６ｃのうちの次の一つから発行枚数分だけ出金口５０に出金させ、さらに必要により、出金収納部３６ａ〜３６ｃのうちのさらに次の一つから発行枚数分だけ出金口５０に出金させる。つまり、操作部１３によって金券発行モードが選択設定された場合に、出金収納部３６ａ〜３６ｃは収納していた金券を出金口５０に出金する。
【００５５】
そして、制御部１５は、入力された額面毎の発行枚数を出金口５０に繰り出させると、繰り出しを終了して、今回の処理を他の処理と識別する処理識別番号と、今回の処理で識別したユーザ識別番号と、今回の金券発行モードによって出金口５０に出金されたすべての金券の金券識別番号と、今回の処理で出金口５０に出金されたすべての金券の金種別の計数値とを関連付けして出金情報として記憶部１６に記憶する。
【００５６】
制御部１５は、記憶部１６に記憶した出金情報を通信部１８を用いて発行元の管理サーバ１７に、金券処理装置１１の個別の装置識別番号と関連付けして送信することになり、この管理サーバ１７において、送信された情報を管理する。まず、金券充填モードと同様に、金券識別番号が適正であるか否かの照合を行う。マスタデータの金券識別番号と一致するものがある場合、管理サーバ１７は、金券処理装置１１から送られた金券識別番号が適正であると判定してこの金券識別番号を市場に発行された旨と関連付けして記憶する一方、一致するものがない場合、管理サーバ１７は、金券処理装置１１から送られた金券識別番号が適正でないと判定してアラームを発生させる。なお、管理サーバ１７はネットワークを介して複数の金券処理装置１１に接続されているため、複数の金券処理装置１１は管理サーバ１７に記憶された上記情報を共有することになり、この共有情報を、一の金券処理装置１１によって市場に発行された発行済みの金券の金券識別番号を他の金券処理装置１１に収納する際に市場に発行されたものか否かを照合するのに使用する。
【００５７】
「金券収納モード」
金券収納モードが選択設定された場合、制御部１５は、発行済みの金券の入金口２１への投入を促す表示を表示部１４に表示させる。これを見てユーザが入金口２１に発行済みの金券を投入すると、入金口２１に設けられた図示略の検知センサが金券を検知することになり、この検知を確認すると、制御部１５は、スタート操作を促す表示を表示部１４に表示させる。これを見てユーザが操作部１３にスタート操作を行う。操作部１３にスタート操作が入力されると、制御部１５は、入金繰出機構２３および入金搬送路２２を駆動する。すると、入金口２１に投入された金券を入金繰出機構２３が一枚ずつ繰り出し、入金搬送路２２が搬送する。入金搬送路２２による搬送中に金券を入金識別部２４で識別する。この入金識別部２４の識別結果から、制御部１５は、受入不可と判定した入金リジェクト金券を、入金搬送路２２および入金搬送路２２から分岐する入金リジェクト搬送路２９を介して入金リジェクト口２８に排出する。
【００５８】
なお、この金券収納モードでは、受入不可と判定する入金リジェクト金券に、ＲＦＩＤリーダライタ５５によって読み取られる使用状況情報記憶エリアに「１」および「２」、以外の、「記憶なし」および「０」の情報が記憶されている未発行の金券をも含む。つまり、金券収納モードでは、入金口２１に投入された金券のうちＩＣチップの使用状況情報記憶エリアに発行済み且つ使用未確定を示す「１」および発行済み且つ使用済みを示す「２」、以外の使用状況情報が記憶されている場合には、これを使用状況情報が適正でない入金リジェクト金券として入金リジェクト口２８に排出する。
【００５９】
他方、制御部１５は、入金識別部２４で受入可と識別された金券について、ＩＣチップの使用状況情報記憶エリアに「１」が記憶されている場合には、ＲＦＩＤリーダライタ５５によって使用状況情報記憶エリアに「１」にかえて、金券収納モードに対応する所定の使用状況情報である、発行済み且つ使用済みを示す「２」を記憶して、対応する金種の計数値を加算するとともに、金種および金券識別番号を記憶部１６に記憶する。そして、金券を一時貯留部３３に送り込み一時貯留させる。つまり、基本的にはＩＣチップの使用状況情報記憶エリアに「２」が記憶されている金券のみが一時貯留部３３に一時貯留される。
【００６０】
また、制御部１５は、入金識別部２４で受入可と識別された金券について、ＩＣチップの使用状況情報記憶エリアに発行済み且つ使用済みを示す「２」が記憶されている場合には、使用状況情報記憶エリアをそのまま「２」として、対応する金種の計数値を加算するとともに、上記と同様に、金種および金券識別番号を記憶部１６に記憶して、金券を一時貯留部３３に送り込み一時貯留させる。つまり、基本的にはＩＣチップの使用状況情報記憶エリアに「２」が記憶されている金券のみが一時貯留部３３に一時貯留される。
【００６１】
そして、入金口２１に投入されたすべての金券が一時貯留部３３あるいは入金リジェクト口２８に送られると、制御部１５は、今回の処理に対する入金識別部２４の識別結果（金種別の計数値）を表示部１４に表示させるとともに、承認操作またはキャンセル操作の入力を促す表示を表示部１４に表示させる。操作部１３にキャンセル操作が入力されると、制御部１５は、引出ユニット３５のロックを解除するとともに、今回の金券収納モードで記憶部１６に記憶したデータを消去する。ユーザは引出ユニット３５を引き出して一時貯留部３３から金券を取り出す。なお、このように入金キャンセルで入金が取り出された金券は、ＲＦＩＤリーダライタ５５によってＩＣチップの使用状況情報記憶エリアに「２」が記憶されていることから、金券収納モードで再入金された場合に、受入可と判断される。
【００６２】
他方、操作部１３に承認操作が入力されると、制御部１５は、すでに記憶部１６に記憶されている、今回の処理で受入可と判定したすべての金券の金種および金券識別番号と、今回の処理を他の処理と識別する処理識別番号と、今回の処理で識別したユーザ識別番号と、今回の処理で受入可と判定したすべての金券の金種別の計数値とを関連付けして入金情報として記憶部１６に記憶する。それとともに、一時貯留部３３の金券を対応する出金収納部３７に収納する。これにより、基本的にはＩＣチップの使用状況情報記憶エリアに発行済み且つ使用済みを示す「２」が記憶されている金券のみが出金収納部３７に収納される。
【００６３】
制御部１５は、記憶部１６に記憶した入金情報を通信部１８を用いて発行元の管理サーバ１７に、金券処理装置１１の個別の装置識別番号と関連付けして送信することになり、この管理サーバ１７において、送信された入金情報を上記した金券装填モードと同様に管理する。
【００６４】
以上により、操作部１３によって金券収納モードが選択設定された場合に、入金口２１に入金され入金識別部２４で識別された金券を出金収納部３７に収納する。また、操作部１３によって金券収納モードが選択設定された場合に、入金口２１に入金された金券のＩＣチップの使用状況情報記憶エリアからＲＦＩＤリーダライタ５６が使用状況情報を読み取ることになる。また、制御部１５が、この読み取られた使用状況情報と、操作部１３によって設定された金券収納モードとに基づいて、入金口２１に入金された金券が適正であるか否かを判別する。つまり、金券収納モードに対しては、使用状況情報エリアが「１」である場合および「２」である場合は適正であり、それ以外は適正でないと判定する。また、操作部１３によって金券収納モードが選択設定された場合に、入金口２１に入金された金券のＩＣチップの使用状況情報記憶エリアに「１」が記憶されていると、ＲＦＩＤリーダライタ５６が、当該設定された金券収納モードに対応する所定の使用状況情報であって、発行済み且つ使用済みの金券であることを示す「２」を、入金口２１に入金された金券のＩＣチップに書き込む。
【００６５】
「金券回収モード」
金券回収モードが選択設定された場合、制御部１５は、スタート操作を促す表示を表示部１４に表示させる。これを見てユーザが操作部１３にスタート操作を行う。操作部１３にスタート操作が入力されると、制御部１５は、出金収納部３７の出金繰出機構４０および出金搬送路４１を駆動する。すると、出金収納部３７の出金繰出機構４０が金券を一枚ずつ繰り出し、出金搬送路４１が搬送する。出金搬送路４１による搬送中に金券を出金識別部４４で識別する。この出金識別部４４の識別結果から、制御部１５は、出金不可と判定した出金リジェクト金券を、出金搬送路４１および出金搬送路４１から分岐する出金リジェクト搬送路４７を介して出金リジェクト庫４８に収納する。
【００６６】
そして、この金券回収モードでは、出金不可と判定する出金リジェクト金券に、ＲＦＩＤリーダライタ５６によって読み取られるＩＣチップの使用状況情報記憶エリアに、発行済み且つ使用済みの金券であることを示す「２」以外の情報が記憶されている金券をも含む。つまり、金券回収モードでは、出金される金券のうちＩＣチップの使用状況情報記憶エリアに、上記した金券収納モードで記憶される発行済み且つ使用済みを示す「２」以外の、未発行且つ入金済みを示す「０」の情報が記憶されている場合と、発行済み且つ使用未確定を示す「１」の情報が記憶されている場合と、未発行且つ未入金を示す「記憶なし」の場合とについては、これを使用状況情報が適正でない出金リジェクト金券として出金リジェクト庫４８に収納する。
【００６７】
また、制御部１５は、出金識別部４４で出金可と識別された金券については、対応する金種の計数値を加算し、出金識別部４４で識別された金種および金券識別番号を記憶部１６に記憶するとともに、出金口５０に送り出す。
【００６８】
以上により、操作部１３によって金券回収モードが選択設定された場合に、出金収納部３７が、収納していた金券を出金口５０に出金する。また、操作部１３によって金券回収モードが選択設定された場合に、出金口５０に出金される金券のＩＣチップの使用状況情報記憶エリアからＲＦＩＤリーダライタ５６が使用状況情報を読み取ることになる。また、制御部１５が、この読み取られた使用状況情報と、操作部１３によって設定された金券回収モードとに基づいて、出金口５０に出金される金券が適正であるか否かを判別する。つまり、金券回収モードに対しては、使用状況情報エリアが発行済み且つ使用済みを示す「２」である場合は適正であり、それ以外は適正でないと判定する。
【００６９】
制御部１５は、上記を繰り返して出金収納部３７からすべての金券を出金口５０あるいは出金リジェクト庫４８に出金させると、繰り出しを終了して、今回の処理を他の処理と識別する処理識別番号と、今回の処理で識別したユーザ識別番号と、今回の金券回収モードによって出金口５０に出金されたすべての金券の金券識別番号と、今回の処理で出金口５０に出金された金券の金種別の計数値とを関連付けして出金情報として記憶部１６に記憶する。
【００７０】
制御部１５は、記憶部１６に記憶した出金情報を通信部１８を用いて発行元の管理サーバ１７に、金券処理装置１１の個別の装置識別番号と関連付けして送信することになり、この管理サーバ１７において、送信された情報を上記金券発行モードと同様に管理する。
【００７１】
以上に述べた本実施形態の金券処理装置１１によれば、未発行の金券を装填する金券装填モードが操作部１３によって選択設定された場合に、入金口２１に入金された金券を出金収納部３６ａ〜３６ｃに収納することになり、その際に、金券のＩＣチップに、ＲＦＩＤリーダライタ５５が、当該設定された入金モードである金券装填モードに対応する所定の情報「０」を書き込む。また、未発行の金券を発行する金券発行モードが操作部１３によって選択設定された場合に、出金収納部３６ａ〜３６ｃから、収納していた金券を出金口５０に出金することになり、その際に、金券のＩＣチップに、ＲＦＩＤリーダライタ５６が、当該設定された出金モードである金券発行モードに対応する所定の情報「１」を書き込む。また、発行済みの金券を収納する金券収納モードが操作部１３によって選択設定された場合に、入金口２１に入金された金券を出金収納部３７に収納することになり、その際に、金券のＩＣチップに、ＲＦＩＤリーダライタ５５が、当該設定されたモードである金券収納モードに対応する所定の情報「２」を書き込む。また、発行済みの金券を回収する金券回収モードが操作部１３によって選択設定された場合に、出金収納部３７から、収納していた金券を出金口５０に出金することになる。このように、未発行の金券についての装填および発行に加えて、発行済みの金券についての収納および機外回収のための出金口５０への出金を行うことができるため、多機能化を図ることができる。しかも、必要により、ＲＦＩＤリーダライタ５５，５６が、金券のＩＣチップにモードに対応した所定の情報を書き込むため、ＩＣチップの情報から、適正な処理であるか否か等を判別することが可能となる。
【００７２】
また、入金口２１に入金された金券のＩＣチップから、ＲＦＩＤリーダライタ５５が使用状況情報を読み取ることになり、制御部１５が、ＲＦＩＤリーダライタ５５によって読み取られた使用状況情報と操作部１３によって設定されたモードとに基づいて、入金口２１に入金された金券が適正であるか否かを判別することになる。これにより、モードに対して金券が適正である場合に一時貯留部３２ａ〜３２ｃ，３３へ受け入れ、適正でない場合には一時貯留部３２ａ〜３２ｃ，３３へ受け入れないという対処が可能となり、適正である金券のみを一時貯留できる。
【００７３】
また、ＲＦＩＤリーダライタ５５が、制御部１５によって適正であると判別された金券に対して、設定されたモードに対応する所定の使用状況情報をＩＣチップに書き込むため、適正であると判別された金券に対してのみ、設定された入金モードに対応する所定の使用状況情報をＩＣチップに書き込むことができ、適正でないと判別された金券に対して使用状況情報を書き込んでしまってからこれを消去する等の面倒な処理が不要となる。
【００７４】
また、制御部１５によって適正でないと判別された金券を入金リジェクト口２８に搬送するため、適正でない金券が混入していた場合も、入金処理を停止することなく継続することができる。
【００７５】
また、出金口５０に出金される金券のＩＣチップから、ＲＦＩＤリーダライタ５６が使用状況情報を読み取ることになり、制御部１５が、ＲＦＩＤリーダライタ５６によって読み取られた使用状況情報と操作部１３によって設定されたモードとに基づいて、出金口５０に出金される予定の金券が適正であるか否かを判別することになる。これにより、モードに対して金券が適正である場合に出金口５０に出金させ、適正でない場合には出金口５０に出金をしないという対処が可能となり、適正である金券のみを出金口５０に出金できる。
【００７６】
また、ＲＦＩＤリーダライタ５６が、制御部１５によって適正であると判別された金券に対して、設定された出金モードに対応する所定の使用状況情報をＩＣチップに書き込むため、適正であると判別された金券に対してのみ、設定された出金モードに対応する所定の使用状況情報をＩＣチップに書き込むことができ、適正でないと判別された金券に対して情報を書き込んでしまってからこれを消去する等の面倒な処理が不要となる。
【００７７】
また、制御部１５によって適正でないと判別された金券を出金リジェクト庫４８に搬送するため、適正でない金券が混入していた場合も、出金処理を停止することなく継続することができる。
【００７８】
また、操作部１３が、ユーザを認証する認証装置１２の認証結果に基づいて選択設定可能なモードを制御するため、ユーザの職位等に応じて使用できるモードを異ならせることができる。
【図面の簡単な説明】
【００７９】
【図１】本発明の一実施形態の金券処理装置を概略的に示す構成図である。
【図２】本発明の一実施形態の金券処理装置における記憶部への記憶例を示す図である。
【符号の説明】
【００８０】
１１  金券処理装置
１２  認証装置（認証手段）
１３  操作部（モード設定手段）
１５  制御部（モード設定手段，入金判別手段，出金判別手段）
２１  入金口
２４  入金識別部
２８  入金リジェクト口（入金リジェクト部）
３６ａ〜３６ｃ  出金収納部（未発行券収納部）
３７  出金収納部（発行済券収納部）
４４  出金識別部
４８  出金リジェクト庫（出金リジェクト部）
５０  出金口
５５  ＲＦＩＤリーダライタ（入金読取手段，入金書込手段）
５６  ＲＦＩＤリーダライタ（出金書込手段，出金読取手段）
【図１】
0005011008.tif 000002
【図２】
0005011008.tif 000003